(57)【要約】  移動にエレベーターを利用しない人を検出できるビル管理システムを提供する。ビル管理システム（１）のエレベーター利用判定部（７）は、退域情報と、入域情報と、運行情報と、時刻情報と、に基づいて利用者（２）が第１領域から第２領域までの移動にエレベーターを利用したか否かの判定を行う。退域情報は、第１領域から利用者（２）が退域するときに生成され、第１領域が設けられる階床の情報および当該利用者（２）を識別する識別情報を含む。入域情報は、第２領域に利用者（２）が入域するときに生成され、第２領域が設けられる階床の情報および当該利用者（２）を識別する識別情報を含む。運行情報に含まれる複数の停止情報の各々は、エレベーターのかごが停止するときに生成され、停止階床の情報を含む。時刻情報は、退域情報が生成された退域時刻、入域情報が生成された入域時刻、および複数の停止情報の各々が生成された停止時刻の情報を含む。
2020261560.tif 000002
【特許請求の範囲】
【請求項１】
第１領域から利用者が退域するときに生成され、前記第１領域が設けられる階床の情報および当該利用者を識別する識別情報を含む退域情報と、
第２領域に前記利用者が入域するときに生成され、前記第２領域が設けられる階床の情報および当該利用者を識別する前記識別情報を含む入域情報と、
エレベーターのかごが停止するときに生成され停止階床の情報を各々が含む複数の停止情報を含む運行情報と、
前記退域情報が生成された退域時刻、前記入域情報が生成された入域時刻、および前記複数の停止情報の各々が生成された複数の停止時刻の情報を含む時刻情報と、
に基づいて前記利用者が前記第１領域から前記第２領域までの移動に前記エレベーターを利用したか否かの判定を行うエレベーター利用判定部
を備えるビル管理システム。
【請求項２】
前記エレベーター利用判定部は、
前記退域情報に含まれる前記識別情報、および当該退域情報が生成された前記退域時刻より後の前記入域時刻に生成された前記入域情報に含まれる前記識別情報が一致する場合に、
当該退域時刻より後の前記停止時刻に生成された前記停止情報の前記停止階床の情報が当該退域情報に含まれる階床の情報に一致し、かつ、当該退域時刻より後で当該入域時刻より前に生成された前記停止時刻の前記停止情報の前記停止階床の情報が当該入域情報に含まれる階床の情報に一致するときに、
前記利用者が前記第１領域から前記第２領域までの移動に前記エレベーターを利用したと判定する
請求項１に記載のビル管理システム。
【請求項３】
前記エレベーター利用判定部によって前記第１領域から前記第２領域までの移動に前記エレベーターを利用しなかったと判定された前記利用者に対してポイントを加算するポイント計算部
を備える請求項１または請求項２に記載のビル管理システム。
【請求項４】
前記ポイント計算部は、前記利用者に付与する前記ポイントを前記第１領域から前記第２領域までの前記エレベーターを利用しない移動の時間帯に基づいて計算する
請求項３に記載のビル管理システム。
【請求項５】
前記ポイント計算部は、前記利用者に付与する前記ポイントを前記第１領域から前記第２領域までの前記エレベーターを利用しない移動の階床差に基づいて計算する
請求項３または請求項４に記載のビル管理システム。
【請求項６】
前記ポイント計算部は、前記利用者に付与する前記ポイントを前記第１領域から前記第２領域までの前記エレベーターを利用しない移動の所要時間に基づいて計算する
請求項３から請求項５のいずれか一項に記載のビル管理システム。
【発明の詳細な説明】
【技術分野】
【０００１】
本発明は、ビル管理システムに関する。
【背景技術】
【０００２】
特許文献１は、情報処理装置の例を開示する。情報処理装置は、エレベーターのかごに乗り込んだ利用者に、エレベーターを利用せずに階段を利用した場合におけるカロリー消費量を表示する。
【先行技術文献】
【特許文献】
【０００３】
【特許文献１】日本特開２０１１−１２６６１８号公報
【発明の概要】
【発明が解決しようとする課題】
【０００４】
特許文献１の情報処理装置において、個人認識装置は、エレベーターの乗場またはかごに設けられる。このため、移動にエレベーターを利用しない人は、検出されない。【０００５】
本発明は、このような課題を解決するためになされた。本発明の目的は、移動にエレベーターを利用しない人を検出できるビル管理システムを提供することである。
【課題を解決するための手段】
【０００６】
本発明に係るビル管理システムは、第１領域から利用者が退域するときに生成され、第１領域が設けられる階床の情報および当該利用者を識別する識別情報を含む退域情報と、第２領域に利用者が入域するときに生成され、第２領域が設けられる階床の情報および当該利用者を識別する識別情報を含む入域情報と、エレベーターのかごが停止するときに生成され停止階床の情報を各々が含む複数の停止情報を含む運行情報と、退域情報が生成された退域時刻、入域情報が生成された入域時刻、および複数の停止情報の各々が生成された複数の停止時刻の情報を含む時刻情報と、に基づいて利用者が第１領域から第２領域までの移動にエレベーターを利用したか否かの判定を行うエレベーター利用判定部を備える。
【発明の効果】
【０００７】
本発明によれば、ビル監視システムは、エレベーター利用判定部を備える。エレベーター利用判定部は、退域情報と、入域情報と、運行情報と、時刻情報と、に基づいて利用者が第１領域から第２領域までの移動にエレベーターを利用したか否かの判定を行う。退域情報は、第１領域から利用者が退域するときに生成される。退域情報は、第１領域が設けられる階床の情報および当該利用者を識別する識別情報を含む。入域情報は、第２領域に利用者が入域するときに生成される。入域情報は、第２領域が設けられる階床の情報および当該利用者を識別する識別情報を含む。運行情報は、複数の停止情報を含む。複数の停止情報の各々は、エレベーターのかごが停止するときに生成される。複数の停止情報の各々は、停止階床の情報を含む。時刻情報は、退域情報が生成された退域時刻、入域情報が生成された入域時刻、および複数の停止情報の各々が生成された複数の停止時刻の情報を含む。これにより、移動にエレベーターを利用しない人が検出される。
【図面の簡単な説明】
【０００８】
【図１】実施の形態１に係るビル管理システムの構成図である。
【図２】実施の形態１に係るビル管理システムにおいて検出される事象の例を示す図である。
【図３】実施の形態１に係るビル管理システムにおける時刻情報の例を示す図である。
【図４】実施の形態１に係るビル管理システムにおいて検出される事象の例を示す図である。
【図５】実施の形態１に係るビル管理システムにおける時刻情報の例を示す図である。
【図６】実施の形態１に係るビル管理システムの動作の例を示すフローチャートである。
【図７】実施の形態１に係るビル管理システムの主要部のハードウェア構成を示す図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るビル管理システムの構成図である。
【００１１】
ビル管理システム１は、複数の階床を有する建築物に適用される。
【００１２】
建築物において、図示されない階段が設けられる。階段は、複数の階床の間に掛けわたされる。
【００１３】
建築物において、図示されないエレベーターが設けられる。エレベーターは、複数の階床の間で建築物の利用者２などを輸送する１つまたは複数のかごを備える。建築物において、エレベーター制御装置３が設けられる。エレベーター制御装置３は、エレベーターの動作を制御する装置である。この例において、エレベーター制御装置３は、エレベーターの運行情報を管理する運行管理装置でもある。ここで、運行情報は、複数の停止情報を含む情報である。複数の停止情報の各々は、エレベーターのかごが停止階床に停止するたびに生成される。複数の停止情報の各々は、停止階床の情報を含む。複数の停止情報の各々は、かごが停止階床に停止した停止時刻の情報を含んでもよい。このとき、停止時刻の情報は、例えばエレベーター制御装置３の内部の時刻情報に基づいて取得される。
【００１４】
建築物において、複数の管理領域４が設けられる。管理領域４は、建築物の内部または外部の領域である。管理領域４は、利用者２の入域および退域が管理される領域である。管理領域４は、建築物の部屋またはエリアなどである。管理領域４は、建築物の玄関の外側のエリアであってもよい。建築物において、複数の入退管理装置５が設けられる。入退管理装置５は、利用者２の管理領域４への入域または利用者２の管理領域４からの退域の少なくともいずれかを検出する装置である。入退管理装置５は、管理領域４の出入口に設けられる。管理領域４の出入口は、例えば部屋の出入口、または建築物の玄関などである。管理領域４の出入口において、例えば扉またはゲートなどが設けられる。また、管理領域４の出入口において、管理領域４の内側と外側との両方に入退管理装置５が設けられていてもよい。このとき、内側の入退管理装置５は、例えば利用者２の退域を検出する。外側の入退管理装置５は、例えば利用者２の入域を検出する。
【００１５】
入退管理装置５は、識別部６を備える。識別部６は、入域または退域する利用者２を識別する部分である。利用者２を識別する識別情報は、例えば当該利用者２に所持されるＩＣカードまたはＩＣタグなどの可搬な機器に記憶されていてもよい。このとき、識別部６は、例えば無線信号によって識別情報を読み取る読取装置である。あるいは、識別部６は、画像認識によって利用者２を認識してもよい。あるいは、識別部６は、例えば生体認証などによって利用者２を認識してもよい。識別部６は、例えば認識した利用者２を識別する識別情報を、利用者２の情報のデータベースなどを参照することで取得する認証装置である。
【００１６】
管理領域４の出入口に設けられる扉は、例えば電気錠などを備えてもよい。このとき、識別部６が識別した利用者２が当該管理領域４への入退域が許可されている利用者２として予め登録されている場合に、入退管理装置５は、電気錠を解錠する。入退管理装置５は、識別部６が識別した利用者２が当該管理領域４への入退域が許可されている利用者２として予め登録されている場合に、管理領域４の出入口に設けられるゲートを開いてもよい。
【００１７】
管理領域４からの利用者２の退域を検出する入退管理装置５は、退域を検出するときに退域情報を生成する。退域情報は、当該管理領域４が設けられる階床の情報、および当該利用者２を識別する識別情報を含む。退域情報は、利用者２が当該管理領域４から退域した退域時刻の情報を含んでもよい。このとき、退域時刻の情報は、例えば入退管理装置５の内部の時刻情報に基づいて取得される。
【００１８】
管理領域４への利用者２の入域を検出する入退管理装置５は、入域を検出するときに入域情報を生成する。入域情報は、当該管理領域４が設けられる階床の情報、および当該利用者２を識別する識別情報を含む。入域情報は、利用者２が当該管理領域４に入域した入域時刻の情報を含んでもよい。このとき、入域時刻の情報は、例えば入退管理装置５の内部の時刻情報に基づいて取得される。
【００１９】
ビル管理システム１は、例えばサーバー用などのコンピューターを含む。ビル管理システム１は、例えば建築物に設けられる。ビル管理システム１は、エレベーター利用判定部７と、ポイント計算部８と、データ記憶部９と、を備える。
【００２０】
エレベーター利用判定部７は、利用者２が移動にエレベーターを利用したか否かを判定する部分である。エレベーター利用判定部７は、退域情報および入域情報を取得しうるように、複数の入退管理装置５の各々に接続される。エレベーター利用判定部７は、運行情報を取得しうるように、エレベーター制御装置３に接続される。
【００２１】
エレベーター利用判定部７は、時刻情報を管理する。時刻情報は、退域時刻、入域時刻、複数の停止時刻を含む。
【００２２】
退域情報が退域時刻の情報を含む場合に、エレベーター利用判定部７は、例えば取得した退域情報に含まれる退域時刻を時刻情報の退域時刻として管理する。あるいは、退域情報が生成されて直ちに取得される場合に、エレベーター利用判定部７は、ビル管理システム１の内部の時刻情報に基づいて、退域情報を取得した時刻を時刻情報の退域時刻として管理してもよい。
【００２３】
入域情報が入域時刻の情報を含む場合に、エレベーター利用判定部７は、例えば取得した入域情報に含まれる入域時刻を時刻情報の入域時刻として管理する。あるいは、入域情報が生成されて直ちに取得される場合に、エレベーター利用判定部７は、ビル管理システム１の内部の時刻情報に基づいて、入域情報を取得した時刻を時刻情報の入域時刻として管理してもよい。
【００２４】
停止情報が停止時刻の情報を含む場合に、エレベーター利用判定部７は、例えば取得した停止情報に含まれる停止時刻を時刻情報の停止時刻として管理する。あるいは、停止情報が生成されて直ちに取得される場合に、エレベーター利用判定部７は、ビル管理システム１の内部の時刻情報に基づいて、停止情報を取得した時刻を時刻情報の停止時刻として管理してもよい。
【００２５】
ポイント計算部８は、利用者２に付与するポイントを計算する部分である。利用者２に付与されるポイントは、例えば階段利用ポイント、または省エネポイントなどである。ポイントは、例えば利用者２がエレベーターを利用せずに異なる階床の間を移動することによって付与される。ポイントは、例えば他のポイントまたは景品などと交換可能なものであってもよい。ポイント計算部８は、エレベーター利用判定部７の判定に基づいて付与するポイントを計算する。ポイント計算部８は、判定結果を取得しうるように、エレベーター利用判定部７に接続される。
【００２６】
データ記憶部９は、利用状況データベースを記憶する部分である。利用状況データベースは、例えば利用者２ごとにエレベーターまたは階段の利用の状況の情報を格納するデータベースである。利用状況データベースは、例えば利用者２に付与されているポイントの情報を格納する。
【００２７】
データ記憶部９は、端末装置１０に接続されてもよい。端末装置１０は、例えばパーソナルコンピューターなどである。端末装置１０は、ポイントに対応する外部装置、または外部装置との間で通信を行う通信装置などであってもよい。端末装置１０は、利用状況データベースに格納されているポイントなどの情報の参照に用いられる。あるいは、端末装置１０は、利用状況データベースの設定などの編集に用いられてもよい。
【００２８】
続いて、図２から図５を用いて、ビル管理システム１の機能を説明する。
図２および図４は、実施の形態１に係るビル管理システムにおいて検出される事象の例を示す図である。
図３および図５は、実施の形態１に係るビル管理システムにおける時刻情報の例を示す図である。
【００２９】
図２および図３において、利用者２がエレベーターを利用して異なる階床の間を移動するときの例が示される。
【００３０】
図２に示されるように、この例において、利用者２である個人Ａは、管理領域４である３階の３０１号室から、管理領域４である６階の６０１号室まで移動する。個人Ａの出発地である３０１号室は、第１領域の例である。個人Ａの目的地である６０１号室は、第２領域の例である。この例において、第１領域および第２領域は、互いに異なる階床の管理領域４である。
【００３１】
まず、個人Ａは、３０１号室を退域する。
【００３２】
このとき、３０１号室からの退域を検出する入退管理装置５は、個人Ａの退域を検出する。入退管理装置５は、このときの退域時刻と、退域が検出された階床が３階であることを示す情報と、個人Ａの識別情報と、に基づいて退域情報を生成する。入退管理装置５は、生成した退域情報をビル管理システム１のエレベーター利用判定部７に送信する。
【００３３】
個人Ａは、エレベーターを利用して３階から６階まで移動する。個人Ａは、３階に停止したかごに乗り込む。エレベーターのかごは、３階から６階まで走行する。個人Ａは、６階に停止したかごを降りる。
【００３４】
この間に、エレベーター制御装置３は、運行情報に停止情報を追加する。エレベーター制御装置３は、かごを３階に停止させるときに、停止時刻の情報と、停止階床が３階であることを示す情報と、に基づいて停止情報を生成する。エレベーター制御装置３は、生成した停止情報を運行情報に追加する。エレベーター制御装置３は、かごを６階に停止させるときに、停止時刻の情報と、停止階床が６階であることを示す情報と、に基づいて停止情報を生成する。エレベーター制御装置３は、生成した停止情報を運行情報に追加する。エレベーター利用判定部７は、エレベーター制御装置３から運行情報を取得する。
【００３５】
個人Ａは、６０１号室に入域する。
【００３６】
このとき、６０１号室への入域を検出する入退管理装置５は、個人Ａの入域を検出する。入退管理装置５は、このときの入域時刻と、入域が検出された階床が６階であることを示す情報と、個人Ａの識別情報と、に基づいて入域情報を生成する。入退管理装置５は、生成した入域情報をビル管理システム１のエレベーター利用判定部７に送信する。
【００３７】
ここで、個人Ａが３０１号室を退域してからかごに乗り込むまでの時間は、規定乗降時間より短い。規定乗降時間は、例えば管理領域４の出入口からエレベーターの乗場までの距離、およびエレベーターの平均的な待ち時間などに基づいて予め設定される時間である。また、個人Ａがかごを降りてから６０１号室に入域するまでの時間は、規定乗降時間より短い。なお、規定乗降時間は、管理領域４ごとに設定されていてもよい。あるいは、規定乗降時間は、建築物において共通の時間であってもよい。
【００３８】
また、個人Ａが３０１号室を退域してから６０１号室に入域するまでの時間は、規定移動時間より短い。規定移動時間は、例えば第１領域が設けられる階床と第２領域が設けられる階床の間の階床差などに応じて、階段を利用した移動による所要時間に対応して予め設定される。例えば、規定移動時間は、３階と６階の階床差である３階床に、１階床を階段で移動するときにかかる平均的な所要時間を乗じて得られる時間として設定される。平均的な所要時間は、建築物ごとに予め設定されていてもよい。規定移動時間は、同じ階床差の上り移動と下り移動とに対して異なる時間であってもよい。
【００３９】
図４において、エレベーター利用判定部７が管理している時刻情報の例が示される。
この例において、規定乗降時間は、建築物において共通の時間として２分に予め設定されている。この例において、規定移動時間は、３階から６階までの３階床に対して５分となるように予め設定されている。
【００４０】
エレベーター利用判定部７は、入域情報を取得したときに、取得した入域情報に含まれる識別情報に基づいて利用者２を特定する。この例において、エレベーター利用判定部７は、利用者２を個人Ａであると判定する。
【００４１】
エレベーター利用判定部７は、特定された利用者２である個人Ａについての退域情報が既に取得されているかを判定する。個人Ａの退域情報が取得されていない場合に、エレベーター利用判定部７は、個人Ａがエレベーターを利用したか否かの判断が不能であると判定する。一方、個人Ａの退域情報が取得されている場合に、エレベーター利用判定部７は、当該退域情報の退域時刻および取得した入域情報の入域時刻の間の時間が規定移動時間内であるかを、時刻情報に基づいて判定する。規定移動時間を超えていると判定する場合に、エレベーター利用判定部７は、個人Ａがエレベーターを利用したか否かの判断が不能であると判定する。この例において、入域時刻１０：００において個人Ａの入域情報が取得されたときに、退域時刻０９：５７における個人Ａの退域情報が既に取得されている。ここで、退域時刻０９：５７および入域時刻１０：００の間の時間は３分である。この時間は、３階から６階までの３階床に対して５分に設定されている規定移動時間より短い。このように退域時刻および入域時刻の間の時間が規定移動時間内である場合に、エレベーター利用判定部７は、次のようにエレベーター利用の有無を判定する。
【００４２】
エレベーター利用判定部７は、退域情報の退域時刻から規定乗降時間が経過するまでの間に、退域が検出された階床にかごが停止したかを判定する。このとき、エレベーター利用判定部７は、例えば退域時刻０９：５７から停止時刻までの時間が規定乗降時間２分以内で３階を停止階床とする停止情報を運行情報から検索する。このような停止情報がない場合に、エレベーター利用判定部７は、個人Ａがエレベーターを利用せず階段を利用したと判定する。この例において、退域時刻０９：５７から１分の停止時刻０９：５８で３階を停止時刻とする停止情報が運行情報に含まれている。このとき、エレベーター利用判定部７は、退域情報の退域時刻から規定乗降時間が経過するまでの間に、退域が検出された階床にかごが停止したと判定する。この場合に、エレベーター利用判定部７は、個人Ａが３階でかごに乗車した可能性があると推定する。
【００４３】
続いて、エレベーター利用判定部７は、入域情報の入域時刻から規定乗降時間を遡るまでの間に、入域が検出された階床にかごが停止したかを判定する。このとき、エレベーター利用判定部７は、例えば停止時刻から入域時刻１０：００までの時間が規定乗降時間２分以内で６階を停止階床とする停止情報を運行情報から検索する。このような停止情報がない場合に、エレベーター利用判定部７は、個人Ａがエレベーターを利用せず階段を利用したと判定する。この例において、入域時刻１０：００から１分だけ遡った停止時刻０９：５９で６階を停止時刻とする停止情報が運行情報に含まれている。このとき、エレベーター利用判定部７は、退域情報の退域時刻から規定乗降時間が経過するまでの間に、退域が検出された階床にかごが停止したと判定する。この場合に、エレベーター利用判定部７は、個人Ａが６階でかごから降車した可能性があると推定する。
【００４４】
このように、個人Ａが３階でかごに乗車した可能性があり、かつ、個人Ａが６階でかごから降車した可能性があると推定されるときに、エレベーター利用判定部７は、個人Ａがエレベーターを利用して移動したと判定する。
【００４５】
ここで、規定移動時間が退域についての規定乗降時間と入域についての規定乗降時間との和より短い場合に、エレベーター利用判定部７は、退域時刻の後の停止情報が入域時刻の前の停止情報より前の停止情報であるかを判定する。エレベーター利用判定部７は、例えば、退域時刻、退域の階床における停止時刻、入域の階床における停止時刻、および入域時刻が、この順番であるかを判定する。このとき、退域時刻の後の停止情報が入域時刻の前の停止情報より後の停止情報である場合に、エレベーター利用判定部７は、個人Ａがエレベーターを利用せず階段を利用したと判定する。
【００４６】
なお、エレベーターが複数のかごを有する場合に、エレベーター利用判定部７は、退域時刻の後の停止情報および入域時刻の前の停止情報が同一のかごに対する停止情報の組であるかを判定してもよい。このとき、同一のかごに対する停止情報の組が運行情報に含まれていない場合に、エレベーター利用判定部７は、個人Ａがエレベーターを利用せず階段を利用したと判定してもよい。
【００４７】
次に、図４および図５において、利用者２が階段を利用して異なる階床の間を移動するときの例が示される。
【００４８】
図４に示されるように、この例において、利用者２である個人Ａは、管理領域４である３階の３０１号室から、管理領域４である６階の６０１号室まで移動する。個人Ａの出発地である３０１号室は、第１領域の例である。個人Ａの目的地である６０１号室は、第２領域の例である。
【００４９】
まず、個人Ａは、３０１号室を退域する。
【００５０】
このとき、３０１号室からの退域を検出する入退管理装置５は、個人Ａの退域を検出する。入退管理装置５は、このときの退域時刻と、退域が検出された階床が３階であることを示す情報と、個人Ａの識別情報と、に基づいて退域情報を生成する。入退管理装置５は、生成した退域情報をビル管理システム１のエレベーター利用判定部７に送信する。
【００５１】
個人Ａは、階段を利用して３階から６階まで移動する。この間に、エレベーターのかごは、個人Ａの他の利用者２からの呼びに応答して運行していてもよい。例えば、エレベーターのかごは、個人Ａの他の利用者２からの呼びに応答して６階に停止する。
【００５２】
この間に、エレベーター制御装置３は、運行情報に停止情報を追加する。エレベーター制御装置３は、かごを６階に停止させるときに、停止時刻の情報と、停止階床が６階であることを示す情報と、に基づいて停止情報を生成する。エレベーター制御装置３は、生成した停止情報を運行情報に追加する。エレベーター利用判定部７は、エレベーター制御装置３から運行情報を取得する。
【００５３】
個人Ａは、６０１号室に入域する。
【００５４】
このとき、６０１号室への入域を検出する入退管理装置５は、個人Ａの入域を検出する。入退管理装置５は、このときの入域時刻と、入域が検出された階床が６階であることを示す情報と、個人Ａの識別情報と、に基づいて入域情報を生成する。入退管理装置５は、生成した入域情報をビル管理システム１のエレベーター利用判定部７に送信する。
【００５５】
ここで、個人Ａが３０１号室を退域してから６０１号室に入域するまでの時間は、規定移動時間より短い。
【００５６】
図５において、エレベーター利用判定部７が管理している時刻情報の例が示される。
この例において、規定乗降時間は、建築物において共通の時間として２分に予め設定されている。この例において、規定移動時間は、３階から６階までの３階床に対して５分となるように予め設定されている。
【００５７】
エレベーター利用判定部７は、入域情報を取得したときに、取得した入域情報に含まれる識別情報に基づいて利用者２を特定する。この例において、エレベーター利用判定部７は、利用者２を個人Ａであると判定する。
【００５８】
エレベーター利用判定部７は、図３に示す例と同様にして、退域時刻および入域時刻の間の時間が規定移動時間内であると判定する。この場合に、エレベーター利用判定部７は、次のようにエレベーター利用の有無を判定する。
【００５９】
エレベーター利用判定部７は、退域情報の退域時刻から規定乗降時間が経過するまでの間に、退域が検出された階床にかごが停止したかを判定する。このとき、エレベーター利用判定部７は、例えば退域時刻０９：５７から停止時刻までの時間が規定乗降時間２分以内で３階を停止階床とする停止情報を運行情報から検索する。この例において、該当する停止情報は運行情報に含まれていない。このとき、エレベーター利用判定部７は、個人Ａがエレベーターを利用せず階段を利用したと判定する。エレベーター利用判定部７は、エレベーターの利用についての判定結果をポイント計算部８に通知する。
【００６０】
ポイント計算部８は、通知された判定結果に基づいて、個人Ａに紐づけられているポイントに付与するポイントを加算する。ポイント計算部８は、個人Ａがエレベーターを利用せずに移動したと判定された場合にポイントを加算する。
【００６１】
このとき、ポイント計算部８は、個人Ａの移動の動作などに基づいて付与するポイントを計算してもよい。ポイント計算部８は、例えばデータ記憶部９などが記憶している動作テーブルを参照してポイントを計算してもよい。
【００６２】
また、ポイント計算部８は、例えば個人Ａが移動した時間帯に応じて付与するポイントを計算してもよい。例えば、ポイント計算部８は、エレベーターが混雑する時間帯に個人Ａがエレベーターを利用せずに移動した場合に、他の時間帯に付与されるポイントの２倍のポイントを付与してもよい。エレベーターが混雑する時間帯は、例えば出勤時間帯、退勤時間帯、または昼食時間帯などである。
【００６３】
また、ポイント計算部８は、例えば個人Ａが移動した階床差に応じて付与するポイントを計算してもよい。例えば、ポイント計算部８は、階床差が２階または３階である移動に対して、階床差が１階の移動に対して付与されるポイントの１．１倍のポイントを付与してもよい。ポイント計算部８は、階床差が４階または５階である移動に対して、階床差が１階の移動に対して付与されるポイントの１．３倍のポイントを付与してもよい。
【００６４】
また、ポイント計算部８は、例えば個人Ａが移動した所要時間に応じて付与するポイントを計算してもよい。例えば、ポイント計算部８は、１階床あたりの所要時間が１０秒未満の移動に対して、１階床あたりの所要時間が１０秒以上の移動に対して付与されるポイントの１．１倍のポイントを付与してもよい。
【００６５】
ポイント計算部８は、加算したポイントの情報をデータ記憶部９の利用状況データベースに格納する。ビル管理システム１は、退域情報、入域情報、運行情報、および時刻情報などの取得した情報をデータ記憶部９の利用状況データベースに格納してもよい。
【００６６】
データ記憶部９の利用状況データベースに格納されているポイントの情報は、例えば端末装置１０によって参照されて利用される。
【００６７】
続いて、図６を用いてビル管理システム１の動作の例を説明する。
図６は、実施の形態１に係るビル管理システムの動作の例を示すフローチャートである。
【００６８】
ステップＳ１において、ビル管理システム１のエレベーター利用判定部７は、入域情報を取得したかを判定する。判定結果がＮｏの場合に、ビル管理システム１の動作は、予め設定された時間が経過した後に、ふたたびステップＳ１に進む。判定結果がＹｅｓの場合に、ビル管理システム１の動作は、ステップＳ２に進む。
【００６９】
ステップＳ２において、エレベーター利用判定部７は、取得された入域情報に含まれる識別情報に基づいて利用者２を特定する。その後、ビル管理システム１の動作は、ステップＳ３に進む。
【００７０】
ステップＳ３において、エレベーター利用判定部７は、特定した利用者２の退域情報が既に取得されているかを判定する。判定結果がＮｏの場合に、エレベーター利用判定部７は、エレベーターの利用の有無を判断不能であると判定する。その後、ビル管理システム１の動作は、終了する。一方、判定結果がＹｅｓの場合に、ビル管理システム１の動作は、ステップＳ４に進む。
【００７１】
ステップＳ４において、エレベーター利用判定部７は、特定した利用者２の入域時刻から退域時刻までの間の時間が規定移動時間内であるかを判定する。判定結果がＮｏの場合に、エレベーター利用判定部７は、エレベーターの利用の有無を判断不能であると判定する。その後、ビル管理システム１の動作は、終了する。一方、判定結果がＹｅｓの場合に、ビル管理システム１の動作は、ステップＳ５に進む。
【００７２】
ステップＳ５において、エレベーター利用判定部７は、特定した利用者２の退域時刻から停止時刻までの間の時間が規定乗降時間内であり、かつ、停止階床が当該利用者２の退域の階床である停止情報を運行情報から検索する。該当する停止情報がある場合に、ビル管理システム１の動作は、ステップＳ６に進む。該当する停止情報がない場合に、エレベーター利用判定部７は、特定した利用者２がエレベーターを利用せず階段を利用したと判定する。その後、ビル管理システム１の動作は、ステップＳ７に進む。
【００７３】
ステップＳ６において、エレベーター利用判定部７は、停止時刻から特定した利用者２の入域時刻までの間の時間が規定乗降時間内であり、かつ、停止階床が当該利用者２の入域の階床である停止情報を運行情報から検索する。該当する停止情報がある場合に、エレベーター利用判定部７は、特定した利用者２がエレベーターを利用したと判定する。その後、ビル管理システム１の動作は、終了する。該当する停止情報がない場合に、エレベーター利用判定部７は、特定した利用者２がエレベーターを利用せず階段を利用したと判定する。その後、ビル管理システム１の動作は、ステップＳ７に進む。
【００７４】
ステップＳ７において、エレベーター利用判定部７は、判定結果をポイント計算部８に通知する。その後、ポイント計算部８は、判定結果に基づいて特定した利用者２のポイントを加算する。その後、ビル管理システム１の動作は、終了する。
【００７５】
以上に説明したように、実施の形態１に係るビル管理システム１は、エレベーター利用判定部７を備える。エレベーター利用判定部７は、退域情報と、入域情報と、運行情報と、時刻情報と、に基づいて利用者２が第１領域から第２領域までの移動にエレベーターを利用したか否かの判定を行う。退域情報は、第１領域から利用者２が退域するときに生成される。退域情報は、第１領域が設けられる階床の情報および当該利用者２を識別する識別情報を含む。入域情報は、第２領域に利用者２が入域するときに生成される。入域情報は、第２領域が設けられる階床の情報および当該利用者２を識別する識別情報を含む。運行情報は、複数の停止情報を含む。複数の停止情報の各々は、エレベーターのかごが停止するときに生成される。複数の停止情報の各々は、停止階床の情報を含む。時刻情報は、退域時刻、入域時刻、および複数の停止時刻の情報を含む。退域時刻は、退域情報が生成された時刻である。入域時刻は、入域情報が生成された時刻である。複数の停止時刻の各々は、複数の停止情報の各々が生成された時刻である。
【００７６】
出発地である第１領域からの退域についての退域情報は、移動した利用者２がエレベーターを利用したか否かに関わらずに生成される。同様に、目的地である第２領域への入域についての入域情報は、移動した利用者２がエレベーターを利用したか否かに関わらずに生成される。運行情報は、エレベーターの運行履歴の情報を含む。時刻情報は、利用者２の移動およびエレベーターの運行についての事象が発生した時刻の情報を含む。エレベーター利用判定部７は、これらの情報に基づいて判定を行う。このため、エレベーター利用判定部７は、異なる階床の間の利用者２の移動とエレベーターの運行履歴とを時刻によって関連付けることができる。これにより、エレベーター利用判定部７は、移動にエレベーターを利用しない建築物の利用者２を検出できる。また、ビル管理システム１は、出発地および目的地の間の階段またはエレベーターなどの途中経路に利用者２を識別する装置を必要としない。このため、ビル管理システム１は、既存の入退管理システムが適用されている建築物に容易に適用できる。また、エレベーター利用判定部７は、実際に発生した事象に基づいて生成される情報によって判定を行う。このため、エレベーター利用判定部７は、シミュレーション誤差などによる誤認識を生じさせない。
【００７７】
また、エレベーター利用判定部７は、退域情報に含まれる識別情報、および当該退域情報が生成された退域時刻より後の入域時刻に生成された入域情報に含まれる識別情報が一致するかを判定する。これが一致する場合に、エレベーター利用判定部７は、当該退域時刻より後の停止時刻に生成された停止情報の停止階床の情報が当該退域情報に含まれる階床の情報に一致するかを判定する。さらに、エレベーター利用判定部７は、当該退域時刻より後で当該入域時刻より前に生成された停止時刻の停止情報の停止階床の情報が当該入域情報に含まれる階床の情報に一致するかを判定する。これらが両方とも一致するときに、エレベーター利用判定部７は、利用者２が第１領域から第２領域までの移動にエレベーターを利用したと判定する。
【００７８】
これにより、エレベーター利用判定部７は、時刻情報に含まれる事象の時系列が、利用者２がエレベーターを利用した場合の事象の時系列と整合するかを判定できる。これにより、エレベーター利用判定部７は、エレベーターを利用した利用者２を容易に検出できる。
【００７９】
また、ビル管理システム１は、ポイント計算部８を備える。ポイント計算部８は、エレベーター利用判定部７によって第１領域から第２領域までの移動にエレベーターを利用しなかったと判定された利用者２に対してポイントを加算する。
【００８０】
ビル管理システム１は、ポイントの付与によって、エレベーターを利用せずに階段を利用することを建築物の利用者２に促すことができる。これにより、ビル管理システム１は、利用者２に対して階段を利用した運動を促すことができる。また、ビル管理システム１は、利用者２に対して、省エネルギーな行動を促すことができる。ビル管理システム１は、エレベーターを利用せずに移動するという行動を実際に起こした利用者２を検出できるので、エレベーターを利用しない移動を継続することを利用者２に促すことができる。
【００８１】
また、ポイント計算部８は、利用者２に付与するポイントを第１領域から第２領域までのエレベーターを利用しない移動の時間帯に基づいて計算する。
【００８２】
これにより、ビル管理システム１は、例えば混雑する時間帯においてエレベーターを利用せずに移動することを利用者２に促すことができる。このため、エレベーターの運行効率が高まる。
【００８３】
また、ポイント計算部８は、利用者２に付与するポイントを第１領域から第２領域までのエレベーターを利用しない移動の階床差に基づいて計算する。
【００８４】
一般に階段を利用した移動において、階床差が大きいほど運動のエネルギー消費量は多くなる。このため、ビル管理システム１は、よりエネルギー消費量の多い行動を利用者２に促すことができる。
【００８５】
また、ポイント計算部８は、利用者２に付与するポイントを第１領域から第２領域までのエレベーターを利用しない移動の所要時間に基づいて計算する。
【００８６】
一般に階段を利用した移動において、速く移動するほど運動強度は高くなる。このため、ビル管理システム１は、より運動強度の高い行動を利用者２に促すことができる。
【００８７】
また、ビル管理システム１の一部または全部は、建築物の外部に設けられていてもよい。このとき、ビル管理システム１は、例えば遠隔で建築物の管理を行うシステムである。
【００８８】
続いて、図７を用いてビル管理システム１のハードウェア構成の例について説明する。
図７は、実施の形態１に係るビル管理システムの主要部のハードウェア構成を示す図である。
【００８９】
ビル管理システム１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、あるいはそれらの代用として、少なくとも１つの専用のハードウェア１ａを備えてもよい。
【００９０】
処理回路がプロセッサ１ｂとメモリ１ｃとを備える場合、ビル管理システム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、ビル管理システム１の各機能を実現する。
【００９１】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００９２】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００９３】
ビル管理システム１の各機能は、それぞれ処理回路で実現することができる。あるいは、ビル管理システム１の各機能は、まとめて処理回路で実現することもできる。ビル管理システム１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせでビル管理システム１の各機能を実現する。
【産業上の利用可能性】
【００９４】
本発明に係る情報処理装置は、ビル管理システムに適用できる。本発明に係るビル管理システムは、複数の階床を有する建築物に適用できる。
【符号の説明】
【００９５】
１  ビル管理システム、  ２  利用者、  ３  エレベーター制御装置、  ４  管理領域、  ５  入退管理装置、  ６  識別部、  ７  エレベーター利用判定部、  ８  ポイント計算部、  ９  データ記憶部、  １０  端末装置、  １ａ  ハードウェア、  １ｂ  プロセッサ、  １ｃ  メモリ
【図１】
2020261560.tif 000003
【図２】
2020261560.tif 000004
【図３】
2020261560.tif 000005
【図４】
2020261560.tif 000006
【図５】
2020261560.tif 000007
【図６】
2020261560.tif 000008
【図７】
2020261560.tif 000009
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
第１領域から利用者が退域するときに生成され、前記第１領域が設けられる階床の情報および当該利用者を識別する識別情報を含む退域情報と、
第２領域に前記利用者が入域するときに生成され、前記第２領域が設けられる階床の情報および当該利用者を識別する前記識別情報を含む入域情報と、
エレベーターのかごが停止するときに生成され停止階床の情報を各々が含む複数の停止情報を含む運行情報と、
前記退域情報が生成された退域時刻、前記入域情報が生成された入域時刻、および前記複数の停止情報の各々が生成された複数の停止時刻の情報を含む時刻情報と、
に基づいて前記利用者が前記第１領域から前記第２領域までの移動に前記エレベーターを利用したか否かの判定を行うエレベーター利用判定部と、
前記エレベーター利用判定部によって前記第１領域から前記第２領域までの移動に前記エレベーターを利用しなかったと判定された前記利用者に対してポイントを加算するポイント計算部と、
を備えるビル管理システム。
【請求項２】
前記エレベーター利用判定部は、
前記退域情報に含まれる前記識別情報、および当該退域情報が生成された前記退域時刻より後の前記入域時刻に生成された前記入域情報に含まれる前記識別情報が一致する場合に、
当該退域時刻より後の前記停止時刻に生成された前記停止情報の前記停止階床の情報が当該退域情報に含まれる階床の情報に一致し、かつ、当該退域時刻より後で当該入域時刻より前に生成された前記停止時刻の前記停止情報の前記停止階床の情報が当該入域情報に含まれる階床の情報に一致するときに、
前記利用者が前記第１領域から前記第２領域までの移動に前記エレベーターを利用したと判定する
請求項１に記載のビル管理システム。
【請求項３】
前記ポイント計算部は、前記利用者に付与する前記ポイントを前記第１領域から前記第２領域までの前記エレベーターを利用しない移動の時間帯に基づいて計算する
請求項１または請求項２に記載のビル管理システム。
【請求項４】
前記ポイント計算部は、前記利用者に付与する前記ポイントを前記第１領域から前記第２領域までの前記エレベーターを利用しない移動の階床差に基づいて計算する
請求項１から請求項３のいずれか一項に記載のビル管理システム。
【請求項５】
前記ポイント計算部は、前記利用者に付与する前記ポイントを前記第１領域から前記第２領域までの前記エレベーターを利用しない移動の所要時間に基づいて計算する
請求項１から請求項４のいずれか一項に記載のビル管理システム。
【手続補正２】
【補正対象書類名】明細書
【補正対象項目名】０００６
【補正方法】変更
【補正の内容】
【０００６】
本発明に係るビル管理システムは、第１領域から利用者が退域するときに生成され、第１領域が設けられる階床の情報および当該利用者を識別する識別情報を含む退域情報と、第２領域に利用者が入域するときに生成され、第２領域が設けられる階床の情報および当該利用者を識別する識別情報を含む入域情報と、エレベーターのかごが停止するときに生成され停止階床の情報を各々が含む複数の停止情報を含む運行情報と、退域情報が生成された退域時刻、入域情報が生成された入域時刻、および複数の停止情報の各々が生成された複数の停止時刻の情報を含む時刻情報と、に基づいて利用者が第１領域から第２領域までの移動にエレベーターを利用したか否かの判定を行うエレベーター利用判定部と、エレベーター利用判定部によって第１領域から第２領域までの移動にエレベーターを利用しなかったと判定された利用者に対してポイントを加算するポイント計算部と、を備える。
【国際調査報告】
2020261560.tif 000010
2020261560.tif 000011
2020261560.tif 000012
2020261560.tif 000013